(57)【要約】【課題】フレームからパネルを取り外す際の作業性を向上する。【解決手段】パッチパネルは、モジュラジャック１と、複数のモジュラジャック１を保持するパネル１０と、複数のパネル１０が着脱自在に取り付けられるフレーム２０とを備える。パネル１０が嵌め込まれる複数の窓孔２１をフレーム２０の前面に開口し、窓孔２１に嵌め込まれた状態でフレーム２０に設けられた被係合部２４に係合する係合部１８ｂと、手で操作可能な操作部１８ａを有し操作部１８ａを操作した時に被係合部２４と係合部１８ｂの係合を解除する解除片１８がパネル１０に設けてある。故に操作部１８ａを手で操作すれば解除片１８が撓んで被係合部２４と係合部１８ｂの係合が解除され、工具を使わずにパネル１０をフレーム２０から取り外すことができる。【選択図】        図１
2005210777.tif 000002
【特許請求の範囲】
【請求項１】
モジュラプラグが着脱自在に接続されるモジュラジャックと、複数のモジュラジャックを保持するパネルと、被固定部位に固定するための固定手段を有し１乃至複数のパネルが着脱自在に取り付けられるフレームとを備え、パネルが嵌め込まれる１乃至複数の窓孔をフレームの前面に開口し、窓孔に嵌め込まれた状態でパネル及びフレームの一方に設けられた被係合部に係合する係合部をパネル及びフレームの他方に設けるとともに、手で操作可能な操作部を有し操作部を操作した時に被係合部と係合部の係合を解除する解除手段を備えたことを特徴とするパッチパネル。
【請求項２】
解除手段は、一端でパネルに揺動自在に支持され且つ他端に操作部が設けられた略Ｕ字状に形成され、パネルに支持された一端と操作部が設けられた他端の間の部位に係合部が一体に設けられてなることを特徴とする請求項１記載のパッチパネル。
【請求項３】
被係合部は、金属製のフレームにおける窓孔に臨む部位を曲げ加工して形成されることを特徴とする請求項１又は２記載のパッチパネル。
【請求項４】
モジュラプラグが着脱自在に接続されるモジュラジャックと、複数のモジュラジャックを保持するパネルと、被固定部位に固定するための固定手段を有し１乃至複数のパネルが着脱自在に取り付けられるフレームとを備え、パネルが嵌め込まれる１乃至複数の窓孔をフレームの前面に開口し、窓孔に嵌め込まれた状態でパネル及びフレームの一方に設けられた被係合部に係合する係合部をパネル及びフレームの他方に設けるとともに、係合部及び被係合部の少なくとも何れか一方における他方との係合面に、係合部並びに被係合部を係合が解除される向きに案内するガイド部を設けたことを特徴とするパッチパネル。
【請求項５】
パネルを窓孔から引き出す向きに移動させる際に操作される操作つまみをパネルの前面に設けたことを特徴とする請求項４記載のパッチパネル。
【発明の詳細な説明】
【技術分野】
【０００１】
本発明は、情報配線システムにおいて使用するパッチパネルに関するものである。
【背景技術】
【０００２】
従来、オフィスや工場等において、音声信号、ＬＡＮ等のディジタル信号、画像信号といった様々な情報を伝達するために、ツイストペアケーブルを用いた情報配線システムが広く用いられている。このような情報配線システムでは、オフィスのレイアウト変更等の理由により情報配線の変更が必要となる場合に備えて、パッチパネルと称するネットワークの配線作業を支援するための中継端子盤が用いられている。
【０００３】
このようなパッチパネルとして、図８に示すようにモジュラプラグ（図示せず）が着脱自在に接続されるモジュラジャック１１０と、複数（例えば６個）のモジュラジャック１１０を一列に並べて保持するパネル１３０と、複数（例えば４個）のパネル１３０が一列に並べて取り付けられ、情報ラック等の被固定部位に取り付けられるフレーム１５０とで構成されるものがある（特許文献１参照）。
【０００４】
複数のモジュラジャック１１０が取り付けられるパネル１３０は絶縁性を有する合成樹脂成型品から構成される。パネル１３０は前面が略矩形板状であって、各モジュラジャック１１０の前面をぞれぞれ露出させる６個の開口１３１が一列に設けられている。パネル１３０の背面には各モジュラジャック１１０の左右両側面を支持する支持片（図示せず）が形成されている。各支持片にはモジュラジャック１１０の係止溝１１９と係止する突条が形成されると共に、突起１１８の前縁と当接する段部が形成されている。
【０００５】
また、パネル１３０の背面には、各モジュラジャック１１０の上下面とそれぞれ当接する当接片１３４，１３５が突設されている。さらに、パネル１３０背面の上端部からは背面側に突出する一対の係止片１４０がパネル１３０と連続一体に形成されている。各係止片１４０の先端両側には、それぞれ、フレーム１５０に形成された窓孔１５２の開口縁１５５と凹凸嵌合する一対の嵌合爪１４１が突設されており、各嵌合爪１４１の先端にはテーパ面１４２が形成されている。尚、一方の当接片１３５には下方に突出する突起１３５ａが突設されている。
【０００６】
情報ラック等の被固定部位に取り付けられるフレーム１５０は前面が略矩形状に形成されており、フレーム１５０前面の長手方向における両端部には、フレーム１５０を情報ラックなどの被固定部位にねじ止めするための取付ねじを挿通する固定手段としての一対の長孔１５１がそれぞれ穿設されている。また、フレーム１５０の前面には、少なくともモジュラジャック１１０を挿通させることができる寸法に形成された略矩形状の４個の窓孔１５２が形成されており、各窓孔１５２はパネル１３０によって塞がれる。
【０００７】
各窓孔１５２の下側の開口縁からは背面側に突出するレバー解除防止片１５３が突設されている。パネル１３０に設けられた突起１３５ａに対応するレバー解除防止片１５３の部位には貫通孔１５３ａが形成されている。一方、パネル１３０に設けた係止片１４０における嵌合爪１４１の間の部位に対応する各窓孔１５２の上側の開口縁の部位には凹部１５４が設けられており、凹部１５４両側の開口縁１５５の前面側にはテーパ面１５６が形成されている。
【０００８】
さらに、フレーム１５０の下縁からは背面側に突出する略コ字状のケーブル固定片１５７がフレーム１５０と連続一体に形成されている。ケーブル固定片１５７は、中央片１５７ａと、中央片１５７ａの両端部をそれぞれフレーム１５０に連結する連結片１５７ｂとで構成され、中央片１５７ａ及び連結片１５７ｂにはモジュラジャック１１０に結線されたケーブルを結束するための結束バンドを挿通する挿通孔（図示せず）が複数穿設されている。而して、挿通孔に挿通した結束バンドによりモジュラジャック１１０に結線されたケーブルをフレーム１５０に固定することができる。
【０００９】
ここで、モジュラジャック１１０が取り付けられたパネル１３０をフレーム１５０に取り付ける手順について簡単に説明する。先ずパネル１３０を斜めにしてフレーム１５０の窓孔１５２に前面側から挿入し、パネル１３０の当接片１３５に突設された突起１３５ａをフレーム１５０の貫通孔１５３ａに差し込むと、パネル１３０前面と突起１３５ａとの間の溝１３５ｂに貫通孔１５３ａの開口縁が挟持される。その後、貫通孔１５３ａの開口縁を軸としてパネル１３０の上部をフレーム１５０の窓孔１５２に挿入すると、パネル１３０の係止片１４０に突設された嵌合爪１４１とフレーム１５０の開口縁１５５とが当接して、係止片１４０が下方に押し撓められ、嵌合爪１４１が開口縁１５５を乗り越えて開口縁１５５の背面側と係止し、フレーム１５０の窓孔１５２に取り付けられる。
【００１０】
一方、パネル１３０をフレーム１５０から取り外す際は、パネル１３０の前面に形成された工具挿入溝１４３とフレーム１５０に設けた凹部１５４との間にマイナスドライバなどの工具の先端を差し込んで、係止片１４０に下方への力を加えることにより、嵌合爪１４１と開口縁１５５との嵌合状態を解除し、パネル１３０をフレーム１５０から取り外すことができるようにしてある。このように、フレーム１５０の前面に凹部１５４を形成するとともに、パネル１３０の前面に工具挿入溝１４３を形成しているので、前面側から工具を挿入して嵌合爪１４１と開口縁１５５との嵌合状態を解除することができ、フレーム１５０の前面側からモジュラジャック１１０が取り付けられたパネル１３０の取り外し作業を行うことができる。
【特許文献１】特許第３４８２９０７号公報
【発明の開示】
【発明が解決しようとする課題】
【００１１】
しかしながら、上記従来例ではフレーム１５０からパネル１３０を取り外す際にマイナスドライバなどの工具を用いる必要があるため、パネル１３０の取り外し作業の作業性に難があった。
【００１２】
本発明は上記事情に鑑みて為されたものであり、その目的は、フレームからパネルを取り外す際の作業性を向上したパッチパネルを提供することにある。
【課題を解決するための手段】
【００１３】
請求項１の発明は、上記目的を達成するために、モジュラプラグが着脱自在に接続されるモジュラジャックと、複数のモジュラジャックを保持するパネルと、被固定部位に固定するための固定手段を有し１乃至複数のパネルが着脱自在に取り付けられるフレームとを備え、パネルが嵌め込まれる１乃至複数の窓孔をフレームの前面に開口し、窓孔に嵌め込まれた状態でパネル及びフレームの一方に設けられた被係合部に係合する係合部をパネル及びフレームの他方に設けるとともに、手で操作可能な操作部を有し操作部を操作した時に被係合部と係合部の係合を解除する解除手段を備えたことを特徴とする。
【００１４】
この発明によれば、パネルを窓孔に嵌め込んで被係合部に係合部を係合することによりパネルがフレームに取り付けられた状態で操作部を手で操作すれば、解除手段によって被係合部と係合部の係合が解除されてパネルをフレームから取り外すことができ、工具が必要であった従来例に比較して、フレームからパネルを取り外す際の作業性が向上できる。
【００１５】
請求項２の発明は、請求項１の発明において、解除手段は、一端でパネルに揺動自在に支持され且つ他端に操作部が設けられた略Ｕ字状に形成され、パネルに支持された一端と操作部が設けられた他端の間の部位に係合部が一体に設けられてなることを特徴とする。
【００１６】
この発明によれば、操作部を操作することで略Ｕ字状に形成された部位が撓み、その撓みによって係合部が変位して被係合部との係合が解除されるものであって、略Ｕ字状に形成された部位の撓みを利用することで解除手段の耐久性が向上できる。
【００１７】
請求項３の発明は、請求項１又は２の発明において、被係合部は、金属製のフレームにおける窓孔に臨む部位を曲げ加工して形成されることを特徴とする。
【００１８】
この発明によれば、被係合部が係合部と係合する範囲（かかり代）が多く取れるため、係合部と被係合部の係合強度が向上できる。
【００１９】
請求項４の発明は、上記目的を達成するために、モジュラプラグが着脱自在に接続されるモジュラジャックと、複数のモジュラジャックを保持するパネルと、被固定部位に固定するための固定手段を有し１乃至複数のパネルが着脱自在に取り付けられるフレームとを備え、パネルが嵌め込まれる１乃至複数の窓孔をフレームの前面に開口し、窓孔に嵌め込まれた状態でパネル及びフレームの一方に設けられた被係合部に係合する係合部をパネル及びフレームの他方に設けるとともに、係合部及び被係合部の少なくとも何れか一方における他方との係合面に、係合部並びに被係合部を係合が解除される向きに案内するガイド部を設けたことを特徴とする。
【００２０】
この発明によれば、パネルを窓孔に嵌め込んで被係合部に係合部を係合することによりパネルがフレームに取り付けられた状態でパネルを窓孔から引き出す向きに移動させれば、ガイド部により係合部並びに被係合部が係合の解除される向きに案内されるから、係合部と被係合部の係合が解除されてパネルをフレームから取り外すことができ、工具が必要であった従来例に比較して、フレームからパネルを取り外す際の作業性が向上できる。
【００２１】
請求項５の発明は、請求項４の発明において、パネルを窓孔から引き出す向きに移動させる際に操作される操作つまみをパネルの前面に設けたことを特徴とする。
【００２２】
この発明によれば、パネル前面に設けた操作つまみを引っ張ればパネルを容易に移動させることができてパネルを取り外す際の作業性がさらに向上できる。
【発明の効果】
【００２３】
本発明によれば、パネルを窓孔に嵌め込んで被係合部に係合部を係合することによりパネルがフレームに取り付けられた状態で操作部を手で操作すれば、解除手段によって被係合部と係合部の係合が解除されてパネルをフレームから取り外すことができ、工具が必要であった従来例に比較して、フレームからパネルを取り外す際の作業性が向上できるという効果がある。
【発明を実施するための最良の形態】
【００２４】
（実施形態１）
本実施形態のパッチパネルは、図１及び図２に示すようにモジュラプラグ（図示せず）が着脱自在に接続されるモジュラジャック１と、複数（本実施形態では６個）のモジュラジャック１を保持するパネル１０と、複数（本実施形態では４個）のパネル１０が着脱自在に取り付けられ、情報ラックのような被固定部位に固定されるフレーム２０とで構成される。
【００２５】
モジュラジャック１は従来周知の構成を有するものであって、図１及び図５に示すように絶縁性を有する合成樹脂成型品からなるハウジング２の前面にモジュラプラグが挿入されるプラグ挿入口３が開口し、モジュラプラグの接触子と弾接する複数本のコンタクト４がプラグ挿入口３内に配設されている。またハウジング２の後面にはケーブル（例えば、ツイストペアケーブル）を導入するケーブル導入口５が開口し、ケーブル導入口５から導入されるケーブルの各線がそれぞれのコンタクト４と電気的に接続された複数の端子６に接続される。またハウジング２の左右両側面には、それぞれ側方に突出する一対の突起７が突設され（図４参照）、さらにハウジング２の図５上面には係止凹所８が形成されている。
【００２６】
複数のモジュラジャック１が取り付けられるパネル１０は絶縁性を有する合成樹脂材料によって扁平な矩形板状に形成され、モジュラジャック１（ハウジング２）の前端部が嵌合してプラグ挿入口３を前方へ露出する６個の開口１１が前方から見てジグザグに配置される形で設けられている。またパネル１０の背面には、各開口１１に嵌合したモジュラジャック１に上下方向から当接して狭持する一対の狭持片１２，１３がそれぞれ後方に向けて突設されている。２つの狭持片１２のうちで図５においてハウジング２の上面に当接する上側狭持片１２は略ロ字形に形成され、先端部には上下方向に揺動自在としたラッチ片１４が形成されている。ラッチ片１４の先端には下向きに突出してハウジング２の係止凹所８に係合する突起１４ａが形成され、ラッチ片１４の後端部を下方へ押操作することでラッチ片１４が揺動し突起１４ａが上向きに移動して係止凹所８との係合を解除するようになっている。またパネル１０背面における開口１１の左右両側からは後方へ突出する一対の突片１５が形成されている（図４参照）。
【００２７】
而して、モジュラジャック１をパネル１０に取り付けるには、モジュラジャック１の前端部をパネル１０の背面より開口１１に挿入すればよい。モジュラジャック１を開口１１に挿入していくと、ハウジング２の上面に突起１４ａが当接することでラッチ片１４が揺動し、やがて突起１４ａが係止凹所８に嵌り込むとラッチ片１４が元の状態に復帰する。このとき、突起１４ａが係止凹所８に係合することでモジュラジャック１が反挿入方向へ抜け止めされる。またハウジング２の両側面に形成されている一対の突起７のうちで上側の突起７がパネル１０の背面に当接するとともに下側の突起７がパネル１０の突片１５に当接することによってモジュラジャック１の挿入位置が規制され、モジュラジャック１の前面とパネル１０の前面が面一となる状態でパネル１０の開口１１にモジュラジャック１が取り付けられる。尚、ラッチ片１４の後端部を下方へ押操作して突起１４ａと係止凹所８との係合を解除した状態でハウジング２を後方へ引き抜けばモジュラジャック１をパネル１０から取り外すことができる。
【００２８】
フレーム２０は金属製であって、幅細の矩形状に形成された前面には各々パネル１０が嵌め込まれる４つの窓孔２１が開口し、さらに前面の長手方向両端部には情報ラックなどの被固定部位に固定するためのねじが挿通される長孔形状の一対のねじ挿通孔２２が上下に並べて穿設されている。窓孔２１は前方から見て略矩形の右上の角を切り欠いた形状に形成され、後方へ突出するモジュラジャック１の後端部や狭持片１２，１３などを挿通する形でパネル１０が嵌め込まれて閉塞される。フレーム２０前面における窓孔２１の切り欠いた角部の近傍には位置決め孔２３が穿孔されており、パネル１０の背面における一端部から後方へ突設された位置決めリブ１６（図４参照）を位置決め孔２３に挿通することでパネル１０の取付向き並びに取付位置が規制される。
【００２９】
またフレーム２０前面における各窓孔２１の下側開口縁には、フレーム２０を構成する金属板を上向きに曲げ加工してなる一対の被係合部２４が窓孔２１の長手方向両端近傍に設けられている。尚、フレーム２０の前面を平坦面とするため、一対の被係合部２４に挟まれた窓孔２１中央の下側開口縁にも上向きの曲げ部２５が形成されている。
【００３０】
さらに、フレーム２０の下縁からは平坦な連結片２６が後方へ突出し、さらに連結片２６の先端からは樋状のケーブル固定片２７が後方へ突出しており、連結片２６並びにケーブル固定片２７はフレーム２０と連続一体に形成されている。ケーブル固定片２７にはモジュラジャック１に接続されたケーブルを結束するための結束バンドを挿通する挿通孔２８が複数穿設されている。従って、挿通孔２８に挿通した結束バンドによりモジュラジャック１に接続されたケーブルをフレーム２０に固定することができる。尚、複数の挿通孔２８はフレーム２０の長手方向と短手方向の両方向に並べて形成されているので、フレーム２０の長手方向及び短手方向の何れの方向にもケーブルを引き出すことができる。
【００３１】
ここで、図２に示すように連結片２６とケーブル固定片２７との連結部位における長手方向両端部には幅細のスリット２９がフレーム２０の長手方向に沿って形成されている。すなわち、被固定部位に固定されたフレーム２０の長手方向両端部にはケーブル固定片２７に固定したケーブルの重量がかかって変形しやすくなっているが、スリット２９を設けることでスリット２９がない場合に対してフレーム２０にかかる応力を分散し、被固定部に固定されている長手方向両端部の変形を軽減することができる。尚、図１における３０は合成樹脂製の保護シートであって、連結片２６の長手方向両端部から上向きに突出する突片２６ａに貼着され、フレーム２０の長手方向両端に位置するモジュラジャック１の側面を覆って保護している（図２（ｄ）参照）。
【００３２】
次に本発明の要旨であるパネル１０とフレーム２０の取付構造について説明する。
【００３３】
図６に示すように、パネル１０背面における上端部には後方へ突出する３つの係止片（図示せず）が略等間隔に突設され、さらに各係止片の先端にはフレーム２０前面における窓孔２１の上部の開口縁２１ａに係合する係合爪１７が突設されている。
【００３４】
またパネル１０背面における長手方向両端近傍の下端部には、一端でパネル１０に揺動自在に支持され且つ他端に操作部１８ａが設けられた略Ｕ字状の解除片１８がそれぞれ後方へ突出するようにパネル１０と一体に形成されている。これら一対の解除片１８において、パネル１０に支持された一端と操作部１８ａが設けられた他端の間の部位には、フレーム２０前面における窓孔２１の下側開口縁に設けられた一対の被係合部２４と各々係合する一対の係合部１８ｂが一体に形成されている（図４参照）。また、パネル１０の下端部には解除片１８の操作部１８ａが内側に収まる一対の凹溝１９が形成され、この凹溝１９内で操作部１８ａが上向きに押操作可能となっている（図３参照）。
【００３５】
次に、パネル１０をフレーム２０に取り付ける手順について説明する。先ずパネル１０を斜めにしてフレーム２０の窓孔２１に前面側から挿入し、パネル１０背面の上端部に突設された係止片の係合爪１７を窓孔２１の上部の開口縁２１ａに係合し、その後、係合爪１７を始点としてパネル１０の下部をフレーム２０の窓孔２１に挿入すると、解除片１８に設けた一対の係合部１８ｂがフレーム２０の被係合部２４に当接して解除片１８が押し撓められ、係合部１８ｂが被係合部２４を乗り越えて被係合部２４と係合し、パネル１０がフレーム２０の窓孔２１に取り付けられる。ここで、被係合部２４に当接する係合部１８ｂの後端面が前方に向かって下方へ傾斜する傾斜面となっているため、パネル１０の下部を窓孔２１に挿入するだけで係合部１８ｂの傾斜面により解除片１８がスムーズに押し撓められ、別途工具を用いることなく、パネル１０をワンタッチでフレーム２０に取り付けることができる（図６参照）。
【００３６】
一方、凹溝１９内に配置された操作部１８ａを上向きに押操作して解除片１８を押し撓めることにより係合部１８ｂを上向きに変位して被係合部２４との係合を解除すれば、パネル１０を窓孔２１の前方へ引き抜いてフレーム２０から取り外すことができる。すなわち、従来例においてはパネル１３０をフレーム１５０から取り外すためにマイナスドライバなどの工具が必要であったが、本実施形態では操作部１８ａを手で押操作するだけでパネル１０を簡単に取り外すことができ、フレーム２０からパネル１０を取り外す際の作業性が向上できるものである。また本実施形態では、解除片１８を略Ｕ字状に形成してその撓みを利用しているため、解除片１８の耐久性が向上できるという利点がある。さらに金属製のフレーム２０における窓孔２１に臨む部位を曲げ加工して被係合部２４を形成しているため、被係合部２４が係合部１８ｂと係合する範囲（かかり代）が多く取れ、係合部１８ｂと被係合部２４の係合強度が向上できるという利点もある。尚、本実施形態では係合部をパネル１０に設けるとともに被係合部をフレーム２０に設けているが、係合部をフレーム２０に設けるとともに被係合部をパネル１０に設けても構わない。また係合部と被係合部の係合を解除する解除手段をパネル１０ではなくフレーム２０に設けても構わない。
【００３７】
（実施形態２）
本実施形態は、係合部１８ｂ’における被係合部２４との係合面に、係合部１８ｂ’並びに被係合部２４を係合が解除される向きに案内するガイド部１８ｃ’を設けた点に特徴がある。従って、フレーム２０の構造並びにパネル１０の基本構造は実施形態１と共通であるから、共通の部分には同一の符号を付して説明を省略する。
【００３８】
図７に示すように、本実施形態における解除片１８’はパネル１０背面の下端部から後方へ突出する平坦な形状に形成され、その先端部には係合部１８ｂ’が下向きに突設されている。この係合部１８ｂ’は、後端面が前方に向かって下方へ傾斜する傾斜面となっているだけでなく、被係合部２４との係合面である前端面には前方に向かって上方へ傾斜した傾斜面からなるガイド部１８ｃ’が設けられて全体として山形に形成されている。またパネル１０の前面下部には平板状の操作片３１が前方へ突設されており、この操作片３１を手で持って前方へ引っ張ることによりパネル１０を窓孔２１から引き出す向きに容易に移動させることができるようになっている。
【００３９】
次に、パネル１０をフレーム２０に取り付ける手順について説明する。先ずパネル１０を斜めにしてフレーム２０の窓孔２１に前面側から挿入し、パネル１０背面の上端部に突設された係止片の係合爪１７を窓孔２１の開口縁２１ａに係合し、その後、係合爪１７を始点としてパネル１０の下部をフレーム２０の窓孔２１に挿入すると、解除片１８’に設けた一対の係合部１８ｂ’が後端側の傾斜面でフレーム２０の被係合部２４に当接して解除片１８’が押し撓められ、係合部１８ｂ’が被係合部２４を乗り越えてガイド部１８ｃ’で被係合部２４と係合し、パネル１０がフレーム２０の窓孔２１に取り付けられる。
【００４０】
一方、パネル１０の前面に突設された操作片３１を手で持って前方へ引っ張れば、係合部１８ｂ’の前端面に設けられたガイド部１８ｃ’により係合部１８ｂ’及び被係合部２４がその係合を解除する向きに案内されて解除片１８’が押し撓められ、係合部１８ｂ’が被係合部２４を乗り越えて被係合部２４との係合が解除され、パネル１０を窓孔２１の前方へ引き抜いてフレーム２０から取り外すことができる。すなわち、本実施形態においても操作片３１を手で引っ張るだけでパネル１０を簡単に取り外すことができ、フレーム２０からパネル１０を取り外す際の作業性が向上できるものである。尚、本実施形態ではガイド部を係合部１８ｂ’に設けているが、被係合部２４若しくは係合部１８ｂ’と被係合部２４の双方にガイド部を設けても同様の効果を奏することは明らかである。
【図面の簡単な説明】
【００４１】
【図１】本発明の実施形態１を示す分解斜視図である。
【図２】同上を示し、（ａ）は正面図、（ｂ）は上面図、（ｃ）は下面図、（ｄ）は右側面図である。
【図３】同上におけるモジュラジャックを取り付けた状態のパネルの正面図である。
【図４】同上におけるモジュラジャックを取り付けた状態のパネルを後方から見た斜視図である。
【図５】同上におけるモジュラジャックを取り付けた状態のパネルの断面図である。
【図６】同上の断面図である。
【図７】本発明の実施形態２を示す断面図である。
【図８】従来例を示し、（ａ）は正面図、（ｂ）は断面図である。
【符号の説明】
【００４２】
１  モジュラジャック
１０  パネル
１８  解除片
１８ａ  操作部
１８ｂ  係合部
２０  フレーム
２１  窓孔
２４  被係止部
【図１】
2005210777.tif 000003
【図２】
2005210777.tif 000004
【図３】
2005210777.tif 000005
【図４】
2005210777.tif 000006
【図５】
2005210777.tif 000007
【図６】
2005210777.tif 000008
【図７】
2005210777.tif 000009
【図８】
2005210777.tif 000010